(57)【要約】【課題】  簡易にメールを作成することが可能な情報処理装置及びメール作成制御方法提供する。【解決手段】  携帯電話２に比べて比較的に操作しやすい入力インタフェースを有するコンピュータ１で作成されたメール本文データを外部記憶装置３に記憶させた後、外部記憶装置３をコンピュータ１から取り外し携帯電話２に外部記憶装置３を接続する。携帯電話２は外部記憶装置３が接続されたことを検出し、携帯電話２に接続された外部記憶装置３中の所定のフォルダにある所定の形式のファイルを携帯電話２に搭載されるメールアプリケーションがメールの本文として使用することでメールが作成される。【選択図】    図３
2007272753.tif 000002
【特許請求の範囲】
【請求項１】
外部記憶装置を接続可能な情報処理装置において、
前記外部記憶装置が接続されたことを検出する検出手段と、
前記検出手段によって前記外部記憶装置が接続されたことを検出すると、メール作成アプリケーションを起動する起動手段と、
前記起動手段によって起動された前記メール作成アプリケーションに含まれ、前記外部記憶装置に記憶されているデータを用いてメールを作成する作成手段と、
を具備することを特徴とする情報処理装置。
【請求項２】
前記検出手段によって前記外部記憶装置が接続されたことが検出されると、前記外部記憶装置中の所定のフォルダにメール作成用のデータがあるか否かを判別する判別手段をさらに具備し、
前記起動手段は前記判別手段によって前記所定のフォルダに前記メール作成用のデータがあると判別された場合に前記メール作成アプリケーションを起動することを特徴とする請求項１記載の情報処理装置。
【請求項３】
前記判別手段によって前記外部記憶装置中の前記所定のフォルダに前記メール作成用のデータがあると判別されると、前記メール作成用のデータが所定の拡張子を有するデータであるか否かを判別する第２の判別手段をさらに具備し、
前記起動手段は、前記第２の判別手段によって前記メール作成用のデータが前記所定の拡張子を有するデータであると判別された場合に前記メール作成アプリケーションを起動することを特徴とする請求項２記載の情報処理装置。
【請求項４】
前記第２の判別手段によって前記メール作成用のデータが前記所定の拡張子を有するデータであると判別されると、前記メール作成用のデータが前記メール作成アプリケーションによるメール作成時に使用されているか否かを判別する第３の判別手段をさらに具備し、
前記起動手段は、前記第３の判別手段によって前記メール作成用のデータが前記メール作成アプリケーションによるメール作成時に使用されていないと判別された場合に前記メール作成アプリケーションを起動することを特徴とする請求項３記載の情報処理装置。
【請求項５】
前記第３の判別手段は、前記メール作成用のデータが前記メール作成アプリケーションによるメール作成時に使用されているか否かを判別するために前記所定のフォルダ中の前記メール作成用のデータに関するプロパティデータを纏めたファイルを参照することを特徴とする請求項４記載の情報処理装置。
【請求項６】
メール作成アプリケーションが搭載された情報処理装置にて実行されるメール作成制御方法において、
外部記憶装置が前記情報処理装置に接続されたことを検出し、
前記外部記憶装置が前記情報処理装置に接続されたことを検出すると、前記メール作成アプリケーションを起動し、
前記起動された前記メール作成アプリケーションによって、前記外部記憶装置に記憶されているデータを用いてメールを作成することを特徴とするメール作成制御方法。
【請求項７】
前記外部記憶装置が前記情報処理装置に接続されたことが検出されると、前記外部記憶装置中の所定のフォルダにメール作成用のデータがあるか否かを判別し、
前記所定のフォルダに前記メール作成用のデータがあると判別された場合に前記メール作成アプリケーションを起動することを特徴とする請求項６記載のメール作成制御方法。
【請求項８】
前記外部記憶装置中の前記所定のフォルダに前記メール作成用のデータがあると判別されると、前記メール作成用のデータが所定の拡張子を有するデータであるか否かを判別し、
前記メール作成用のデータが前記所定の拡張子を有するデータであると判別された場合に前記メール作成アプリケーションを起動することを特徴とする請求項７記載のメール作成制御方法。
【請求項９】
前記メール作成用のデータが前記所定の拡張子を有するデータであると判別されると、前記メール作成用のデータが前記メール作成アプリケーションによるメール作成時に使用されているか否かを判別し、
前記メール作成用のデータが前記メール作成アプリケーションによるメール作成時に使用されていないと判別された場合に前記メール作成アプリケーションを起動することを特徴とする請求項８記載のメール作成制御方法。
【請求項１０】
前記メール作成用のデータが前記メール作成アプリケーションによるメール作成時に使用されているか否かを判別するために前記所定のフォルダ中の前記メール作成用のデータに関するプロパティデータを纏めたファイルを参照することを特徴とする請求項９記載のメール作成制御方法。
【発明の詳細な説明】
【技術分野】
【０００１】
本発明は、例えばメール作成機能を有する情報処理装置及びメール作成制御方法に関する。
【背景技術】
【０００２】
近年、パーソナルコンピュータのみならず、例えばＰＤＡ（Personal Digital Assistants）や携帯型電話にもメール作成機能が搭載されている。
【０００３】
例えば、特許文献１には、携帯電話機の外部接続端子部に差すと、自動で携帯電話の電子メール用アプリケーションが起動し、携帯電話機のキー操作により題名・本文を記入するという内容の技術が開示されている。
【特許文献１】特開２００４−７４６４号公報
【発明の開示】
【発明が解決しようとする課題】
【０００４】
上述した技術では、ユーザの携帯電話機のキー操作によって題名・本文を記入しなければならず、ユーザにメール作成のための手間をかけさせてしまう。
【０００５】
本発明の目的は、簡易にメールを作成することが可能な情報処理装置及びメール作成制御方法を提供することにある。
【課題を解決するための手段】
【０００６】
上記目的を達成するために、請求項１に係わる情報処理装置は、外部記憶装置を接続可能な情報処理装置において、前記外部記憶装置が接続されたことを検出する検出手段と、前記検出手段によって前記外部記憶装置が接続されたことを検出すると、メール作成アプリケーションを起動する起動手段と、前記起動手段によって起動された前記メール作成アプリケーションに含まれ、前記外部記憶装置に記憶されているデータを用いてメールを作成する作成手段と、を具備することを特徴とする。
【０００７】
また、請求項６に係わるメール作成制御方法は、メール作成アプリケーションが搭載された情報処理装置にて実行されるメール作成制御方法において、外部記憶装置が前記情報処理装置に接続されたことを検出し、前記外部記憶装置が前記情報処理装置に接続されたことを検出すると、前記メール作成アプリケーションを起動し、前記起動された前記メール作成アプリケーションによって、前記外部記憶装置に記憶されているデータを用いてメールを作成することを特徴とする。
【発明の効果】
【０００８】
簡易にメールを作成することが可能な情報処理装置及びメール作成制御方法を提供することが可能となる。
【発明を実施するための最良の形態】
【０００９】
以下本発明に係る実施の形態を、図面を参照して説明する。
【００１０】
図１は、本発明の一実施形態に係るコンピュータ１と携帯電話２とに接続可能な外部記憶装置３について説明する図である。
【００１１】
コンピュータ１には外部記憶装置３を接続することが可能である。外部記憶装置３として例えばカード形状の記憶装置といったものが考えられる。コンピュータ１は作成されたデータを外部記憶装置３に記憶させることが可能である。例えば、コンピュータ１に搭載されているテキストエディタによってテキスト形式のファイルを作成し、作成されたテキスト形式のファイルを外部記憶装置３に記憶させる。
【００１２】
携帯電話２には外部記憶装置３を接続することが可能である。携帯電話２は外部記憶装置３に保存されているデータをリードすることが可能である。さらに、携帯電話２にはメールアプリケーションが搭載される。このメールアプリケーションはメールの作成、作成したメールの送信、メールの受信といった機能を有する。次に、このメールアプリケーションの機能について詳細に説明する。
【００１３】
図２は、携帯電話２に搭載されるメールアプリケーションにて実行される機能の一例について説明するフローチャートである。
【００１４】
ユーザによって携帯電話２に外部記憶装置３が接続されると、携帯電話２に組み込まれているオペレーティングシステム２ｂは外部記憶装置３が接続されたことを検出する（ステップ  Ｓ１００）。
【００１５】
携帯電話２に接続される外部記憶装置３には、メールの本文となるデータ（メール本文データ）がファイル形式で記憶されている。外部記憶装置３に含まれる所定のフォルダにこのファイルは記憶されている。ここで、このファイル（メール本文データ）はユーザによって指定されたフォルダに記憶される構成であってもよい。また、携帯電話毎に異なるフォルダを設けてもよい。メール本文データは例えばテキストエディタで作成され、作成されたメール本文データはテキストファイル（拡張子"TXT")として所定のフォルダに保存される。
【００１６】
オペレーティングシステム２ｂは、外部記憶装置３中の所定のフォルダにファイルがあるか否かを判別する（ステップ  Ｓ１０１）。ここで、オペレーティングシステム２ｂがユーザによって予め指定された拡張子（例えば、拡張子"TXT"）を持つファイルがあるか否かを判別する構成であってもよい。また、外部記憶装置３中の所定のフォルダはユーザによって指定可能である構成であってもよい。
【００１７】
オペレーティングシステム２ｂは、所定のフォルダにファイルがあることを検出すると、検出されたファイルのデータが携帯電話２に搭載されるメールアプリケーションによって既に使用されたデータか否かを判別する（ステップ  Ｓ１０２）。
【００１８】
メール本文データが携帯電話２に搭載されるメールアプリケーションによって既に使用されたデータであるか否かを判別するために、オペレーティングシステム２ｂはこのフォルダ中にあるファイル（メール本文データ）のプロパティ値（ファイルの名前、サイズ、作成日等）に関するデータ（プロパティ値データ）を参照する。このプロパティ値データはリスト化され一つのファイルに纏められたデータである。プロパティ値データについては後述にて詳細に説明する。
【００１９】
オペレーティングシステム２ｂは既に使用されたデータが所定のフォルダ中にないことを検出すると、メールアプリケーションを起動する（ステップ  Ｓ１０３）。
【００２０】
オペレーティングシステム２ｂがメールアプリケーションを起動すると、メールアプリケーションは、外部記憶装置３中の所定のフォルダにあるメール本文データを用いて、メールを作成する。メールアプリケーションは、所定のフォルダにあるメール本文データをメールの本文とする（ステップ  Ｓ１０４）。
【００２１】
基本的にはテキストファイル内にはメール本文を記載するが、特定の書式を利用することにより宛先、タイトルを設定することも可能である。例えばテキストファイルの冒頭の行にメールアドレスで使用される「@」が存在した場合、その行を宛先とみなす。その場合「@」のない行が存在するまで宛先のリストとみなす。また、「@」がある行の先頭に「TO:」「CC:」「BCC:」等の文字列があれば、それはメールアドレスに含めずに宛先の種類指定と見なすことが可能である。また、メールアドレスを除いた冒頭の行に例えば「TITLE:」で始まる行があればそれをメールのタイトルと見なすことも可能である。
【００２２】
このように、携帯電話２に比べて比較的に操作しやすい入力インタフェースを有するコンピュータ１で作成されたメール本文データを外部記憶装置３に記憶させた後、外部記憶装置３をコンピュータ１から取り外し携帯電話２に外部記憶装置３を接続することで、携帯電話２に接続された外部記憶装置３中の所定のフォルダにある所定の形式のファイル（メール本文データ）を携帯電話２に搭載されるメールアプリケーションがメールの本文として使用することでメールが作成されるので、ユーザによるメールアプリケーションの特別な操作無く自動的に携帯電話２に搭載されるメールアプリケーションがメールを作成することが可能となる。次に、外部記憶装置３中の所定のフォルダ内に作成されるプロパティ値データについて説明する。
【００２３】
図３は、プロパティ値データの保存・更新処理の一例について説明するフローチャートである。
【００２４】
前述にて説明したとおり、メール本文データが携帯電話２に搭載されるメールアプリケーションによって使用されたデータか否かを判別するために、このフォルダ中にあるファイル（メール本文データ）毎のプロパティ値に関するデータ（プロパティ値データ）を例えばリスト化しファイル（プロパティ値データファイル）として、メール本文データのファイルがあるフォルダ中に保存する（ステップ  Ｓ２００）。
【００２５】
携帯電話２にて起動されているメールアプリケーションはオペレーティングシステム２ｂを介して外部記憶装置３に記憶されているプロパティ値データファイルを読み込む（ステップ  Ｓ２０１）。
【００２６】
メールアプリケーションが例えばメールを送信した後、メールアプリケーションはオペレーティングシステム２ｂを介して外部記憶装置３の所定のフォルダにメール送信後の状態に基づいてプロパティ値データファイルを保存する。すなわち、メールアプリケーションはメール送信後、外部記憶装置３の所定のフォルダに保存されるプロパティ値データファイルをアップデートする（ステップ  Ｓ２０２）。
【００２７】
プロパティ値データファイルの中にはメールアプリケーションによって既に使用されたメール本文データのプロパティ値データも含まれる。外部記憶装置３の所定のフォルダ中のファイル（メール本文データ）を更新する場合、外部記憶装置３から削除されたメール本文データのプロパティ値データをプロパティ値データファイルから削除する、というアップデートが行われる。これによりプロパティ値データファイルのサイズの増大を抑えることが可能となる。
【００２８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２９】
【図１】本発明の一実施形態に係るコンピュータと携帯電話とに接続可能な外部記憶装置について説明する図。
【図２】携帯電話に搭載されるメールアプリケーションにて実行される機能の一例について説明するフローチャート。
【図３】プロパティ値データの保存・更新処理の一例について説明するフローチャート。
【符号の説明】
【００３０】
１…コンピュータ、２…携帯電話、３…外部記憶装置
【図１】
2007272753.tif 000003
【図２】
2007272753.tif 000004
【図３】
2007272753.tif 000005